(57)【要約】      （修正有）【課題】フレネルレンズを用いたスポットライトをより小型化し、軽量化し、低コストしたものとする。【解決手段】楕円反射器と、ランプと、少なくとも１つのフレネルレンズとを有し、従来のフレネルレンズスポットライトより小型であり、従って空間をより節約できるだけでなく軽量であって、射出する光束の開口角が調節可能であるフレネルレンズスポットライトを提供するために、負焦点距離および虚焦点を有するレンズがフレネルレンズとして使用される。【選択図】図１
2005183400.tif 000002
【特許請求の範囲】
【請求項１】
好ましくは楕円反射器、ランプ、少なくとも１つのフレネルレンズを有し、射出する光束の開口角が調節可能であるフレネルレンズスポットライトであって、
該フレネルレンズは、負焦点距離を有するレンズであり、したがって、虚焦点を有する負レンズである、フレネルレンズスポットライト。
【請求項２】
前記フレネルレンズは、虚焦点を有し、特に前記フレネルレンズスポットライトのスポット設定時には、前記反射器の、該反射器から遠い位置の焦点を該虚焦点に重ね合わせることができる、請求項１のフレネルレンズスポットライト。
【請求項３】
前記フレネルレンズは、好ましくは両凹負レンズである、請求項１または２のフレネルレンズスポットライト。
【請求項４】
前記フレネルレンズは、色補正された結像特性を有する二重レンズを含む、請求項１乃至３のいずれか１項のフレネルレンズスポットライト。
【請求項５】
一体型拡散ガラスを有するフレネルレンズを備える、請求項１乃至４のいずれか１項のフレネルレンズスポットライト。
【請求項６】
前記拡散ガラスは、円形であって、前記フレネルレンズの中心に配置されて、前記フレネルレンズスポットライトの配置設定の関数として、幾何光学的に結像された光の割合に対する散乱光の割合を、従って光混合比を変化させる光混合システムを画定する、請求項５のフレネルレンズスポットライト。
【請求項７】
前記反射器は、金属、または透明の、好ましくは誘電材料、ガラス及び／またはプラスチックからなる、請求項１乃至６のいずれか１項のフレネルレンズスポットライト。
【請求項８】
前記反射器の２つの主表面の少なくとも一方に、光学的に薄い層の系が設けられている、請求項１乃至７のいずれか１項のフレネルレンズスポットライト。
【請求項９】
前記反射器の前記光反射面は、光を散乱するように構成され、好ましくは、表面構成部分または切子面を有しており、前記フレネルレンズの表面のいずれも、光を散乱するように構成されていないか、あるいは、１つまたは２つの表面が、前記拡散ガラスと共に光を散乱するように構成されている、請求項１乃至８のいずれか１項のフレネルレンズスポットライト。
【請求項１０】
前記フレネルレンズは、本出願と同一の出願人によって同一日に出願された「optische Anordnung mit Stufenlinse（フレネルレンズを有する光学装置）」と題するドイツ特許出願に記載して請求されているような負レンズである、請求項１乃至９のいずれか１項のフレネルレンズスポットライト。
【請求項１１】
前記反射器、前記フレネルレンズ及び／または前記拡散ガラスは、少なくとも片面がコーティングされている、請求項１乃至１０のいずれか１項のフレネルレンズスポットライト。
【請求項１２】
前記フレネルレンズの前記コーティングは、通過する光のスペクトルを変える誘電干渉層系の成形である、請求項１１のフレネルレンズスポットライト。
【請求項１３】
前記反射器の２つの主表面の少なくとも一方は、金属、好ましくはアルミニウムでコーティングされている、請求項１乃至１２のいずれか１項のフレネルレンズスポットライト。
【請求項１４】
前記ランプは、白熱ランプ、特にハロゲンランプ、発光ダイオード、発光ダイオードアレイまたはガス放電ランプである、請求項１乃至１３のいずれか１項のフレネルレンズスポットライト。
【請求項１５】
補助反射器が、前記フレネルレンズと前記反射器の間に配置されている、請求項１乃至１４のいずれか１項のフレネルレンズスポットライト。
【請求項１６】
前記フレネルレンズは、その表面がプレストレス、好ましくは熱プレストレスされている、請求項１乃至１５のいずれか１項のフレネルレンズスポットライト。
【請求項１７】
請求項１乃至１６のいずれか１項のフレネルレンズスポットライトと、対応の電源ユニットまたは安定器とを備える照明装置。
【請求項１８】
医学、建築、映画、舞台、スタジオ及び写真での、請求項１乃至１６のいずれか１項のフレネルレンズスポットライトの使用及び請求項１７の照明装置の使用。
【請求項１９】
請求項１乃至１６のいずれか１項のフレネルレンズスポットライトを有する懐中電灯。
【発明の詳細な説明】
【技術分野】
【０００１】
本発明は、反射器、ランプおよび少なくとも１つのフレネルレンズを有し、射出する光束の開口角が調節可能であるフレネルレンズスポットライトに関する。
【０００２】
従来のフレネルレンズスポットライトの、照明目的に関連する部品は通常、ランプ、フレネルレンズおよび球面補助反射器を有する。ランプフィラメントは、従来からほぼ球面反射器の中央に固定された位置にある。したがって、ランプから放出された光の一部が反射されてランプに戻って、前方半球への光放出を補強する。この前向きの光は、フレネルレンズによって集束される。しかし、光集束度は、フレネルレンズとランプ間の距離によって決まる。ランプフィラメントがフレネルレンズの焦点に位置する場合、結果的に最も細い光束が生じる。その結果、スポットとも呼ばれる準平行光路が生じる。フレネルレンズとランプとの間の距離を短縮することによって、射出する光束の開口角が連続的に拡大する。その結果、発散光路が生じ、これはフラッドとも呼ばれる。
【０００３】
しかし、特にスポット設定では、ランプの比較的小さい空間角度幅だけがフレネルレンズの有効範囲に含まれるので、そのようなスポットライトには発光効率が悪いという欠点がある。さらなる欠点として、球面反射器によって反射した光の大部分が、ランプフィラメントそのものに再び衝突し、そこで吸収されて、ランプフィラメントをさらに加熱するという欠点がある。
【０００４】
ドイツ特許出願公開ＤＥ３９１９６４３Ａ１は、反射器と、絞りと、フレネルレンズとを有するスポットライトを開示している。スポットライトから射出される光の量は、光源の調節によって変更される。これにより、光の明るさが変化する。頂点と反射器との間、および絞りとの間の距離を調整することによって、明るさが調整される。
【０００５】
ドイツ特許出願公開ＤＥ３４１３３１０Ａ１は、ランプおよび反射器、またはランプおよび収束レンズを有するスポットライトを開示している。スポットライトはさらに、拡散ガラスまたはミラーを有し、これは両方とも、４５度の角度に配置されている。光はミラーによって偏向され、拡散ガラスによって散乱される。拡散ガラスを移動させることによって、光束のさまざまな射出角で光束を放出する。
【０００６】
ドイツ特許ＤＥ１０１１３３８５Ｃ１は、フレネルレンズスポットライトであって、そのフレネルレンズが、スポット設定では楕円反射器の、反射器から遠い側の焦点付近に光源側焦点が位置する収束レンズである、フレネルレンズスポットライトを記載している。これにより、反射器の焦点間の距離、反射器の焦点距離、およびフレネルレンズの焦点距離の合計が、このようなフレネルレンズスポットライトの最短長さになる。さらに、ランプと反射器との間の距離、及び反射器とフレネルレンズとの間の距離は、構成するのがそれなりに複雑であるガイドによって、互いの関数として設定される。しかし、この目的には付加的な機械装置が必要である。
【０００７】
しかし、本発明の目的は、従来のフレネルレンズスポットライトより小型化され、したがって空間がより節約されると共に、より軽量であるフレネルレンズスポットライトを提供することである。さらなる目的は、加えてこのフレネルレンズスポットライトを簡単かつ低コストで製造することである。
【０００８】
この目的は、請求項１に記載のフレネルレンズスポットライト、及び請求項１７に記載の照明装置によって、驚異的に簡単に達成される。
【０００９】
負の焦点距離を有するフレネルレンズを使用することにより、たとえば、フレネルレンズスポットライトのスポット設定では、反射器の長さと、それぞれ使用されるフレネルレンズの厚さとを合わせた長さにほぼ対応するだけである非常に小型の形状を達成することが可能である。
【００１０】
本発明に従ったフレネルレンズスポットライトは、相当に改善された光効率を、特にスポット設定だけでなく、フラッド設定でも生じる。
【００１１】
同時に、スポット設定およびフラッド設定の両方について図６に例示的に示されているように、光照射野全体で照明強度の均一性が維持される。
【００１２】
本発明によれば、大きい開口を有する楕円反射器が提供される。黒体放射体、特にハロゲンランプのランプフィラメント、または放電ランプの放電アークを、楕円反射器の反射器側焦点に配置し、楕円反射器の、反射器から遠い側の第２焦点を、フレネルレンズの、反射器から遠い側の負焦点、すなわち虚焦点付近に配置することにより、スポット設定が設定される。
【００１３】
反射器によって反射した光は、負レンズに入射する前、楕円反射器の、反射器から遠い側の焦点上にほぼ完全に集束する。反射器側の焦点に位置するランプフィラメント、または放電アークは、フレネルレンズを通過後には無限遠に結像され、そのため、その光は、ほぼ平行な光束に変換される。
【００１４】
反射光はもはや、実質的にランプフィラメントまたは放電アークに当たらない。フレネルレンズの負の虚焦点は、楕円反射器の、反射器から遠い側の焦点と一致し、したがって、結果的に非常に小型になる。
【００１５】
反射器およびフレネルレンズの開口角を好都合に選択すれば、反射器で反射した光は、ほぼすべてがフレネルレンズを通過して、細いスポット光束として前方に放射される。
【００１６】
このため、照明効率が従来のフレネルレンズスポットライトの場合より相当に高い。
【００１７】
本発明の１つの実施形態は、楕円反射器が金属または透明材料からなることを含む。ガラスおよび高分子材料、またはプラスチックが好都合に使用され、これらを金属、たとえば、アルミニウムで好都合にコーティングしてもよい。
【００１８】
代替または追加として、反射面を形成するために、反射器の２つの表面の一方または両方に光学的に薄い層の系を設ける。その結果、好都合にも、可視放射成分が反射し、非可視成分、特に熱放射成分が通過する。
【００１９】
本発明のさらなる好適な実施形態は、反射器の主表面の一方または両方に金属膜を有する。
【００２０】
さらなる別の代替改良形態では、反射器は金属反射器でも良く、その金属反射器はコーティングされないか、または、所望のスペクトルまたは腐食特性を生じるために誘電または金属コーティングしてもよい。
【００２１】
本発明の好適な一実施形態は、フレネルレンズスポットライトであって、反射器の光反射面が、光を散乱するように構成され、フレネルレンズの表面のいずれも光を散乱するように構成されていないか、あるいは１つまたは２つの表面が光を散乱するように構成されている、フレネルレンズスポットライトを有する。その結果、幾何光学による結像光に対する散乱光の重合せの固定分が生じるため、ランプが光照射野内に結像されることが回避される。この目的のために反射器は好ましくは、それの光散乱成分を計算して所望通りに製造できるようにする表面構成部分または切子面を有する。
【００２２】
しかし、光源の小型化がますます進み、たとえば、デジタル投影の重要な分野または高出力放電ランプの場合、これまで以上に目立つ中央暗領域が発生する可能性があり、これは、反射器内の散乱装置によって補償できないか、または、それらによって補償できても、大きな光損失を伴う。さらに、この場合も同様に、フレネルレンズスポットライトのいずれの設定でも、少なくとも暗い中央開口コーンを均一に照明しなければならないので、光源の発光中心の結像を避けるために従来の散乱装置を使用しても、これを克服することが、可能であるとしても限定的にすぎない。しかし、特にスポット設定にある時、この場合には非常に小さい開口角の暗領域が存在するだけであるが、散乱装置を備えた従来のフレネルレンズでは、光照射野を散乱させるために、フレネルレンズの全面積を使用しなければならないので、過度の光損失が生じる。
【００２３】
本発明者は、これらの大きい光損失を驚くほど簡単に回避できることを発見した。この場合、フレネルレンズに、特に好ましくは円形であって、フレネルレンズの中心だけに配置された拡散ガラスを設けることが特に好都合である。
【００２４】
この実施形態では、フレネルスポットライトのいずれの設定でも、照射領域の中央の暗領域を非常に効果的になくすことができ、反射器がスポット設定にある時、これが過度に大きい光損失をまねくことはない。
【００２５】
驚くことに、散乱光の必要比率を増加させる時は必ず、フレネルレンズの位置で反射器から出る光の幾何光学的光路が照明する領域が小さくなることが明らかになっている。
【００２６】
本発明者はこの効果を活用して、本発明で自動または適応光混合システムを形成しており、これは、フレネルレンズスポットライトの移動と同時に、この位置での散乱光の必要分だけを、幾何光学的に結像された光に混合する。
【００２７】
それぞれの場合に必要な光分布にほぼ最適に適合させることができるこの光混合比を、以下に示す説明では、単に短縮して混合比と呼ぶ。
【００２８】
反射器の実質的にいずれの位置についても、この自動光混合システムによって正確な混合比が生じ、したがって非常に均一に照明された光照射野が常に生じるが、不必要な散乱損失がこの過程で発生することはない。
【００２９】
この場合、一体型拡散ガラスの直径をフレネルレンズの残りの面積に対する比として選択することによって、全面積が照明されるフレネルレンズの混合比を画定することができ、また、散乱光の開口角は、負レンズの散乱特性によって画定することができる。
【００３０】
さらに、一体型拡散ガラスそのものに対する散乱効果を変えることができ、それにより、たとえば、より強い散乱領域を拡散ガラスの中央に配置し、弱い散乱領域をその縁部に配置することができる。その結果、比較的強く集束した光束もさらに拡大され、それにより、非常に広い照明角度を生じることができる。
【００３１】
代替として、拡散ガラスの縁部は、急激に終端するだけでなく、それの散乱効果が徐々に減少するようにも構成してもよく、また、フレネルレンズの下方または上方に延在してもよい。これにより、位置により変わる混合比のさらなる態様に適応することができる。
【００３２】
本出願と同一の出願人による同一出願日の「Optische Anordnung mit Stufenlinse（フレネルレンズを有する光学装置）」と題する出願を参照されたい。この出願の開示内容も、参照によって本出願の開示内容に全面的に援用される。
【００３３】
本発明によれば、スポットライトは、建築、医学、映画、舞台、スタジオおよび写真用に、また懐中電灯に使用されることを意図している。
【００３４】
好適な実施形態の拡散ガラスは、光入射側または光射出側のいずれかに配置することができる。さらに、複数の拡散ガラスを光入射側または光射出側に配置することが好都合に可能である。後者の実施形態では、異なった散乱を行う拡散ガラス、たとえば、異なった位置で異なった散乱を行う拡散ガラスを使用することも可能である。
【００３５】
次に、添付の図面を参照しながら、好適な実施形態を用いて本発明をさらに詳細に説明する。
【発明を実施するための最良の形態】
【００３６】
以下の詳細な説明では、同一の参照番号は、さまざまな実施形態の各々において同一部材であるか、または同一効果を有する部材を示すために使用される。  
【００３７】
以下の説明は図１を参照しており、これは、スポット設定の場合のフレネルレンズスポットライトの一実施形態を示す。プレネルレンズスポットライトは実質的に、楕円反射器１と、ハロゲンランプまたは放電ランプなどにすることができるランプ２と、負の屈折力を有するレンズ、好ましくは両凹フレネルレンズであるフレネルレンズ３とを有する。
【００３８】
図１において、楕円反射器１の、反射器から遠い側の焦点Ｆ２は、フレネルレンズ３の右側の虚焦点すなわち負焦点Ｆ３にほぼ重ね合わされている。
【００３９】
図面では、スポットライトから射出される光束４は、その外縁光のみが概略的に表されている。
【００４０】
スポット設定は、ランプ２のランプフィラメントまたは放電アークを、ほぼ楕円反射器１の反射器側の焦点Ｆ１に配置して設定される。
【００４１】
反射器１によって反射した光は、この位置では楕円反射器１の、反射器から遠い側の焦点Ｆ２上にほぼ完全に向けられる。その時、フレネルレンズ３の右側の負の、すなわち虚焦点Ｆ３は、楕円反射器の焦点Ｆ２にほぼ一致する。
【００４２】
図１はまた、反射器１内の開口５が、光照射野４の平行光路内の暗領域６に、いかに作用するかを近視野で示す。
【００４３】
フレネルレンズ３の内部中央に、円形の拡散ガラス７が配置されており、これにより、規定の散乱光比および散乱光の規定開口角を生じる。その結果として、フレネルレンズ３によって幾何光学的に結像された光に対する散乱光の規定の混合比が得られる。
【００４４】
拡散ガラス７のこの実施形態の代替として、さらなる実施形態では、散乱効果が、拡散ガラス７の半径に沿って徐々に変化し、それにより、より強い散乱領域が拡散ガラス７の中央に配置され、弱い散乱領域が、それの急激に終端する縁部に配置される。
【００４５】
さらに別の改良形態では、拡散ガラス７の縁部は、急激に終端するように構成されているだけでなく、その散乱効果が徐々に減少するようにも構成され、それはフレネルレンズの下方または上方に延在してもよい。
【００４６】
その結果、位置により変わる混合比のさらなる態様への適応が、系に応じて行われ、それにより、当該技術分野の専門家であれば、均一に照明された光照射野に、または、所定の方法で発生させた局部的高強度を有する光照射野にも最適の混合比を常に与えることができる。
【００４７】
図１は、スポット設定では、光全体の一部だけが拡散ガラス７を通過することも示す。
【００４８】
フレネルレンズスポットライトの光度の（開口角に対する）対数グラフである図６にスポット設定の場合が線８で示されているように、非常に均一な照明が拡散ガラス７から得られる。
【００４９】
図２は、第１フラッド設定の場合の、図１に示されたフレネルレンズスポットライトの実施形態を示し、ここでは、反射器１の、反射器から遠い側の焦点Ｆ２が、フレネルレンズ３の反射器側に近い表面付近に配置されている。
【００５０】
この場合、スポット設定を基準にした変位量の値ａが、機械的ガイドによって規定通りに変更される。
【００５１】
基本的に、この構造は、図１に示されたフレネルレンズスポットライトの構造に対応している。
【００５２】
しかし、図２から明らかにわかるように、射出する光束４の開口角および暗領域６の開口角の両方が増加している。
【００５３】
しかし、この設定では、光の大部分が、拡散ガラス７の中央の非常に狭い領域だけに入射するので、この領域は実際には、それの前方散乱ローブが、遠視野または遠距離で暗領域６を所望通りにほぼ補償するように構成することができる。やはり図６を参照すべきであり、これは、たとえば、フラッド設定時の照明状態を線９で示している。
【００５４】
次に、図３を参照するが、これは、図１に示されたフレネルレンズスポットライトの実施形態を、開口角が図２の場合よりさらに大きい第２フラッド設定時を示しており、反射器１の、反射器から遠い側の焦点Ｆ２が、フレネルレンズ３によってフレネルレンズ３の、反射器から遠い側の表面前方に結像される。
【００５５】
この場合、光が通過する拡散ガラス７の面積が、図２の場合より大きく、それの散乱挙動全体をこのフラッド設定の関係に適合させることができる。
【００５６】
図４は、さらなる好適な実施形態を示す。この実施形態は、付加的な補助反射器１８を有することを除いて、本質的には上述の実施形態に対応しており、補助反射器１８が（図４の右方向に伝播されて、反射器１に到達することはない）ランプ２からの光を偏向反射して反射器１内へ向ける。したがって、例示的に光路１９のみで示され、補助反射器がなければ照明に貢献しないはずである光を利用することができるだけでなく、フレネルレンズ３に直接的に入射するはずである光部分をよりうまく利用して、所望の光分布を得ることもできる。
【００５７】
補助反射器で反射する光が、ランプ２の発光手段、たとえば、フィラメントまたは放電区域に再入射してそれを不必要にさらに加熱することがないように、補助反射器１８の形状が好都合に選択される。
【００５８】
代替として、補助反射器１８は、ランプ２のガラス本体の内側または外側に取り付けることができる。反射光に対する所望の指向性効果を実現するために、ランプ本体のガラスをこの目的に適した形状にすることができる。
【００５９】
図５は、本発明によって使用されるような、拡散ガラス７を有するフレネルレンズ３を例示として示す。フレネルレンズ３は、透明の基本体１０と、環状のレンズ部分１１、１２、１３を有するフレネルレンズリング系１１とを備え、フレネルレンズリング系の内側に円形拡散ガラス７が配置されている。
【００６０】
拡散ガラス７は、規定通りに構成されるか、または、本出願と同一の出願人によって９月１９日にドイツ特許商標庁に出願された「Streuscheibe（拡散ガラス）」と題するドイツ特許出願第ＤＥ１０３４３６３０．８号に記載された、広い範囲内で正確に規定することができる散乱挙動を有する切子面１５、１６、１７を有する。この出願の開示内容も、参照によって本出願の開示内容に全面的に援用される。
【００６１】
しかし、本発明は、この拡散ガラスの既に記載した実施形態に制限されない。
【００６２】
上述のフレネルレンズスポットライトは、従来技術の場合と比べて相当に小型化された電源ユニットまたは安定器と共に、照明装置に特に好都合に用いられる。本発明に従ったフレネルレンズスポットライトは、はるかに高い発光効率を有するので、同じ有効光出力を得るために、この電源ユニットを電気的および機械的の両方で従来技術の場合より小さく構成することができる。したがって、必要な重量が減少し、また、運搬および保管中に占める保管空間が少ない。
【００６３】
しかし、特に冷光反射器を使用する時、これにより、照明される人および物体の全熱負荷も減少する。
【００６４】
さらに、本発明に従ったフレネルレンズスポットライトは、原則的に使用可能電気エネルギがより厳しく制限される懐中電灯からの照明効率を高めるためにも好都合に使用することができる。
【図面の簡単な説明】
【００６５】
【図１】反射器の、反射器から遠い側の焦点が、フレネルレンズの右側の虚焦点にほぼ重なり合っている、スポット設定時のフレネルレンズスポットライトの実施形態を示す図である。
【図２】反射器の、反射器から遠い側の焦点が、フレネルレンズの反射器に近い側の表面上にほぼ配置されている、第１フラッド設定時の図１に示されたフレネルレンズスポットライトの実施形態を示す図である。
【図３】反射器の、反射器から遠い側の焦点が、フレネルレンズによってフレネルレンズの、反射器から遠い側の表面前方に結像されている、より大きい開口角を有する第２フラッド設定時の図１に示されたフレネルレンズスポットライトの実施形態を示す図である。
【図４】光のさらなる部分が、最初に補助反射器によって反射器内へ送られ、そこからフレネルレンズ内へ送られる、より大きい開口角を有する第２フラッド設定時の図１に示されたフレネルレンズスポットライトの実施形態を示す図である。
【図５】中央に配置された拡散ガラスを有する負フレネルレンズを示す図である。
【図６】スポット設定、およびフラッド設定の１つにあるフレネルレンズスポットライトの光度の（開口角に対する）対数グラフである。
【符号の説明】
【００６６】
１  反射器
２  ランプ
３  フレネルレンズ
４  射出する光束
５  反射器１内の開口
６  暗領域
７  拡散ガラス
８  スポット設定における光度分布
９  フラッド設定における光度分布
１０  基本体
１１  フレネルレンズリング系
１２  環状のレンズ部分
１３  環状のレンズ部分
１４  環状のレンズ部分
１５  切子面
１６  切子面
１７  切子面
１８  補助反射器
１９  補助反射器によって反射される光路
【図１】
2005183400.tif 000003
【図２】
2005183400.tif 000004
【図３】
2005183400.tif 000005
【図４】
2005183400.tif 000006
【図５】
2005183400.tif 000007
【図６】
2005183400.tif 000008
【手続補正書】
【提出日】平成17年4月20日(2005.4.20)
【手続補正１】
【補正対象書類名】特許請求の範囲
【補正対象項目名】全文
【補正方法】変更
【補正の内容】
【特許請求の範囲】
【請求項１】
好ましくは楕円反射器、ランプ、少なくとも１つのフレネルレンズを有し、射出する光束の開口角が調節可能であるフレネルレンズスポットライトであって、
該フレネルレンズは、負焦点距離を有するレンズであり、したがって、虚焦点を有する負レンズである、フレネルレンズスポットライト。
【請求項２】
前記フレネルレンズは、虚焦点を有し、特に前記フレネルレンズスポットライトのスポット設定時には、前記反射器の、該反射器から遠い位置の焦点を該虚焦点に重ね合わせることができる、請求項１のフレネルレンズスポットライト。
【請求項３】
前記フレネルレンズは、好ましくは両凹負レンズである、請求項１または２のフレネルレンズスポットライト。
【請求項４】
前記フレネルレンズは、色補正された結像特性を有する二重レンズを含む、請求項１乃至３のいずれか１項のフレネルレンズスポットライト。
【請求項５】
一体型拡散ガラスを有するフレネルレンズを備える、請求項１乃至４のいずれか１項のフレネルレンズスポットライト。
【請求項６】
前記拡散ガラスは、円形であって、前記フレネルレンズの中心に配置されて、前記フレネルレンズスポットライトの配置設定の関数として、幾何光学的に結像された光の割合に対する散乱光の割合を、従って光混合比を変化させる光混合システムを画定する、請求項５のフレネルレンズスポットライト。
【請求項７】
前記反射器は、金属、または透明の、好ましくは誘電材料、ガラス及び／またはプラスチックからなる、請求項１乃至６のいずれか１項のフレネルレンズスポットライト。
【請求項８】
前記反射器の２つの主表面の少なくとも一方に、光学的に薄い層の系が設けられている、請求項１乃至７のいずれか１項のフレネルレンズスポットライト。
【請求項９】
前記反射器の前記光反射面は、光を散乱するように構成され、好ましくは、表面構成部分または切子面を有しており、前記フレネルレンズの表面のいずれも、光を散乱するように構成されていないか、あるいは、１つまたは２つの表面が、前記拡散ガラスと共に光を散乱するように構成されている、請求項１乃至８のいずれか１項のフレネルレンズスポットライト。
【請求項１０】
前記反射器、前記フレネルレンズ及び／または前記拡散ガラスは、少なくとも片面がコーティングされている、請求項１乃至１１のいずれか１項のフレネルレンズスポットライト。
【請求項１１】
前記フレネルレンズの前記コーティングは、通過する光のスペクトルを変える誘電干渉層系の成形である、請求項１０のフレネルレンズスポットライト。
【請求項１２】
前記反射器の２つの主表面の少なくとも一方は、金属、好ましくはアルミニウムでコーティングされている、請求項１乃至１１のいずれか１項のフレネルレンズスポットライト。
【請求項１３】
前記ランプは、白熱ランプ、特にハロゲンランプ、発光ダイオード、発光ダイオードアレイまたはガス放電ランプである、請求項１乃至１２３のいずれか１項のフレネルレンズスポットライト。
【請求項１４】
補助反射器が、前記フレネルレンズと前記反射器の間に配置されている、請求項１乃至１３のいずれか１項のフレネルレンズスポットライト。
【請求項１５】
前記フレネルレンズは、その表面がプレストレス、好ましくは熱プレストレスされている、請求項１乃至１４のいずれか１項のフレネルレンズスポットライト。
【請求項１６】
請求項１乃至１５のいずれか１項のフレネルレンズスポットライトと、対応の電源ユニットまたは安定器とを備える照明装置。
【請求項１７】
医学、建築、映画、舞台、スタジオ及び写真での、請求項１乃至１５のいずれか１項のフレネルレンズスポットライトの使用及び請求項１６の照明装置の使用。
【請求項１８】
請求項１乃至１５のいずれか１項のフレネルレンズスポットライトを有する懐中電灯。
【手続補正２】
【補正対象書類名】明細書
【補正対象項目名】００３２
【補正方法】変更
【補正の内容】
【００３２】
本出願と同一の出願人による「Optische Anordnung mit Stufenlinse（フレネルレンズを有する光学装置）」と題する出願を参照されたい。この出願の開示内容も、参照によって本出願の開示内容に全面的に援用される。
【手続補正３】
【補正対象書類名】明細書
【補正対象項目名】００６０
【補正方法】変更
【補正の内容】
【００６０】
拡散ガラス７は、規定通りに構成されるか、または、本出願と同一の出願人によってドイツ特許商標庁に出願された「Streuscheibe（拡散ガラス）」と題するドイツ特許出願第ＤＥ１０３４３６３０．８号に記載された、広い範囲内で正確に規定することができる散乱挙動を有する切子面１５、１６、１７を有する。この出願の開示内容も、参照によって本出願の開示内容に全面的に援用される。
【外国語明細書】
2005183400.tif 000009
2005183400.tif 000010
2005183400.tif 000011
2005183400.tif 000012
2005183400.tif 000013
2005183400.tif 000014
2005183400.tif 000015
2005183400.tif 000016
2005183400.tif 000017
2005183400.tif 000018
2005183400.tif 000019
2005183400.tif 000020
2005183400.tif 000021
2005183400.tif 000022
2005183400.tif 000023
2005183400.tif 000024
2005183400.tif 000025
2005183400.tif 000026
2005183400.tif 000027
2005183400.tif 000028
2005183400.tif 000029
2005183400.tif 000030
2005183400.tif 000031